(57)【要約】【課題】液体詰め替え用の袋から詰め替え先の容器に液体を移す作業を簡単に行うことのできる液体詰め替え用補助具を提供すること。【解決手段】液体詰め替え用補助具１は、詰め替え用の袋２０を、その液体取り出し口２１を下にして、内側から心棒５によって支持し、両側から複数の第１袋保持部材６によって保持する。柔軟な素材からなる扁平な詰め替え用の袋２０を、液体取り出し口２１を下にして安定した状態に保持でき、液体の詰め替え作業を簡単に行うことができる。【選択図】図３
2018016341.tif 000002
【特許請求の範囲】
【請求項１】
詰め替え用の液体が入った袋に挿入して、当該袋を、その液体取り出し口が下向きとなる姿勢に支持する心棒と、
前記心棒によって保持された袋を、当該袋の外側あるいは内側から保持する保持部材と、
前記心棒によって支持された袋の液体取り出し口から流れ落ちる液体を受け入れて最も低い位置に開口している液体流下口に集める凹状の液体受け面が形成されている液体受け皿と、
上向きに配置した液体詰め替え先の容器の口部に上方から差し込まれる容器差し込み口と
を有しており、
前記心棒および前記保持部材は、前記液体受け面が形成されている前記液体受け皿の上面側の部位に設けられており、
前記容器差し込み口は、前記液体受け皿の下面から下方に突出する状態で当該液体受け皿に設けられており、
前記容器差し込み口の上端は前記液体流下口に連通しており、
前記容器差し込み口を介して液体が容器に流れ落ちるようになっていることを特徴とする液体詰め替え用補助具。
【請求項２】
請求項１において、
前記保持部材は外側から袋を保持する複数の外側保持部材であり、
前記外側保持部材は、所定の間隔を開けて前記心棒を取り囲む状態に配置されている液体詰め替え用補助具。
【請求項３】
請求項２において、
前記外側保持部材のそれぞれは、
前記液体受け面に取り付けた取付部と、
この取付部から上方に延び、前記心棒に対して一定の間隔で対峙する垂直な袋保持部分を備えた保持部材本体部と、
前記液体流下口の真上の位置において前記心棒の下端部に連結され、当該心棒を垂直に支持している心棒連結部と
を備えており、
前記心棒連結部の上面は、前記心棒が差し込まれた状態の袋の液体取り出し口を載せる面となっており、
前記心棒の前記下端部は複数の液体流通用の貫通穴を備えている液体詰め替え用補助具。
【請求項４】
請求項３において、
前記外側保持部材は、前記心棒とは反対側の部位に、上方から下方に向けて前記心棒から離れる方向に傾斜しているスカート部分を備えている液体詰め替え用補助具。
【請求項５】
請求項１ないし４のうちのいずれか一つの項において、
前記容器差し込み口が差し込まれた容器の口部に載る傘部を備え、
前記傘部は、前記液体受け皿の下面において、前記容器差し込み口を同心状に取り囲む状態に形成されている液体詰め替え用補助具。
【請求項６】
請求項１ないし５のうちのいずれかの項において、
前記心棒の外周面における異なる高さ位置から放射状に延びる複数本の弾性部材を備えており、
各弾性部材は、上下方向に折り曲げ可能な弾性特性を備えている液体詰め替え用補助具。
【請求項７】
請求項１において、
前記保持部材は、内側から袋を押し広げた状態に保持するための内側保持部材であり、
前記内側保持部材は、前記心棒の外周面における異なる高さ位置から放射状に延びる複数本の弾性部材であり、
各弾性部材は、上下方向に折り曲げ可能な所定の弾性特性を備えている液体詰め替え用補助具。
【請求項８】
請求項７において、
前記心棒の下端部は、前記液体受け面における前記液体流下口を取り囲む外周部分に取り付けられており、
前記下端部には、前記液体受け面を流れ落ちる液体を前記液体流下口に導く複数の開口が形成されている液体詰め替え用補助具。
【請求項９】
請求項７または８において、
前記容器差し込み口が差し込まれた容器の口部に載る傘部を備え、
前記傘部は、前記液体受け皿の下面において、前記容器差し込み口を同心状に取り囲む状態に形成されている液体詰め替え用補助具。
【発明の詳細な説明】
【技術分野】
【０００１】
本発明は、シャンプー、リンスなどの液体が入った詰め替え用パックなどの袋から、据え置き型のボトルなどの容器に液体を詰め替える作業を簡単に行うために用いる液体詰め替え用補助具に関する。
【背景技術】
【０００２】
このような液体の詰め替え作業においては、詰め替え用の液体の入った袋の口部を下向きにし、その口部を、詰め替え先の容器の口部に対して上から位置決めし、詰め替え用の袋内の液体が容器に流れ落ちて空になるまで、袋を手で持っている必要がある。詰め替え用の袋は撓み性のある素材から形成されているので、強く握ると口部から液体が溢れ出して周囲を汚してしまうおそれがある。また、詰め替えの途中で口部の位置がずれると、流れ落ちる液体が周囲にこぼれてしまう。さらに、残り少なくなった詰め替え用の袋が萎むと、液体が自重によって流れ落ちなくなってしまうので、指などで残っている液体を絞り出す必要がある。
【０００３】
液体の詰め替え作業はこのような問題があるので、詰め替え作業を簡単に行うことができるように、各種の補助具が提案されている。特許文献１には、倒立状態の詰め替え用パックの角部を切り取ることによって開けた口部に差し込む支柱を備えた漏斗が提案されている。支柱によって、詰め替え用パックが口部を下にした状態に保持されるので、詰め替え作業において、液体の詰め替えが終わるまで詰め替え用パックを手で持っている必要がなくなる。特許文献２においては、漏斗状の薬液詰め替え支援具の内周面に、詰め替え用パックの一辺を切り取ることによって開けた開口部を押し広げた状態に保持するための開口保持部を配置することが提案されている。
【先行技術文献】
【特許文献】
【０００４】
【特許文献１】特開２００９−４０５０１号公報
【特許文献２】特許第４３２８８３０号公報
【発明の概要】
【発明が解決しようとする課題】
【０００５】
特許文献１に開示の漏斗を用いる場合には、詰め替え用パックに差し込まれた１本の支柱によって詰め替え用パックが下向き状態に保持される。詰め替え用パックは一般に撓み性の素材から形成された扁平な袋体であり、詰め替え先の据え置き型のボトルなどの容器のような硬質プラスチック素材から形成されていない。したがって、下向き姿勢で１本の支柱によって支持された状態では姿勢が不安定になりやすい。また、残りが少なくなると、支柱から離れた外周部分において両側の側面が相互に密着して液体が残りやすい。
【０００６】
特許文献２に開示の詰め替え支援具では、詰め替え用パックの一辺を全体的に切り落として形成した開口を円形に押し広げて、開口保持部に差し込むようにしている。角部のみを切り落として口部を開け、そこから液体を詰め替え先の容器に移すようになっている詰め替え用パックからの液体の詰め替えには使用できないので不便である。また、開口部の縁を、筒の内周面と、そこに形成されている開口保持部との間に差し込む必要がある。このような作業は、柔軟で扁平な詰め替え用パックの開口部を手に持って円形に押し広げ、開口部を下向きにして行う必要があるので、面倒であり、作業性が悪い。
【０００７】
本発明の課題は、このような点に鑑みて、口部を下にした状態で詰め替え用の袋を安定した状態で保持できる液体詰め替え用補助具を提供することにある。
【０００８】
また、本発明の課題は、液体が内部に残らず短時間で詰め替えを行うことができるように詰め替え用の袋を保持可能な液体詰め替え用補助具を提供することにある。
【０００９】
さらに、本発明の課題は、詰め替え時に角部を切り落として口部を形成するタイプの袋、および、一辺の全体を切り落として開口部を形成するタイプの袋のいずれに対しても使用することのできる液体詰め替え用補助具を提供することにある。
【課題を解決するための手段】
【００１０】
上記の課題を解決するために、本発明の液体詰め替え用補助具は：詰め替え用の液体が入った袋に挿入して、当該袋を、その液体取り出し口が下向きとなる姿勢に支持する心棒と；心棒によって支持された袋を、当該袋の外側あるいは内側から保持する保持部材と；心棒によって支持された袋の液体取り出し口から流れ落ちる液体を受け入れて最も低い位置に開口している液体流下口に集める凹状の液体受け面が形成されている液体受け皿と；上向きに配置した液体詰め替え先の容器の口部に上方から差し込まれる容器差し込み口とを有している。また、心棒および保持部材は、液体受け面が形成されている液体受け皿の上面側の部位に設けられており、容器差し込み口は、液体受け皿の下面から下方に突出する状態に当該液体受け皿に設けられている。さらに、容器差し込み口の上端は液体流下口に連通しており、容器差し込み口を取って液体が容器に流れ落ちるようになっている。
【００１１】
本発明の液体詰め替え用補助具は、詰め替え用の袋を、その液体取り出し口を下にして、内側から心棒によって支持し、内側あるいは外側から保持部材によって保持している。これにより、一般に柔軟な素材から形成されている扁平な詰め替え用の袋を、液体取り出し口を下にして安定した状態に保持できる。
【００１２】
保持部材として、外側から袋を保持する複数の外側保持部材を配置することができる。この場合には、各外側保持部材を、所定の間隔を開けて心棒を取り囲む状態に配置すればよい。例えば、９０度の等角度間隔で４か所に外側保持部材を配置することができる。
【００１３】
液体取り出し口を下にして心棒が差し込まれている袋の外周を取り囲む状態に、複数の外側保持部材が位置する。よって、袋は外周側の各方向から外側保持部材によって保持されるので、安定した状態で下向き姿勢に保持され、液体が円滑に流れ落ち、短時間で詰め替え作業を行うことができる。
【００１４】
外側保持部材のそれぞれとして、例えば、液体受け面に取り付けた取付部と、この取付部から上方に延び、心棒に対して一定の間隔で対峙する垂直な袋保持部分を備えた保持部材本体部と、液体流下口の真上の位置において心棒の下端部に連結され、当該心棒を垂直に支持している心棒連結部とを備えた構成の部材を用いることができる。この場合には、心棒連結部の上面を、心棒が差し込まれた状態の袋の液体取り出し口を載せる面として用いることができる。また、心棒の下端部には、複数の液体流通用の貫通穴を形成して、液体が円滑に流れ落ちるようにしておけばよい。
【００１５】
詰め替え用の袋として、その一辺の全体を切り落として液体取り出し用口を形成するタイプの袋を用いる場合には、心棒を取り囲む複数の外側保持部材を用いて、袋の液体取り出し口を内側から押し広げることができる。
【００１６】
すなわち、各外側保持部材において、その保持部材本体部における心棒とは反対側の部位に、上方から下方に向けて心棒から離れる方向に傾斜するスカート部分（内側保持部材として機能する部位）を形成しておけばよい。この場合には、袋の液体取り出し口を下向きにして、心棒および外側保持部材を液体取り出し口から内部に差し込む。外側保持部材の外周側のスカート部分は上側から下側に向かって外方に広がっているので、袋の液体取り出し口が外側保持部材のスカート部分によって外方に押し広げられた状態で、液体受け皿の上側に支持される。
【００１７】
次に、詰め替え先の容器の口部に安定した状態で液体受け皿を載せるためには、容器差し込み口が差し込まれた容器の口部に載る傘部を形成しておくことが望ましい。傘部は、液体受け皿の下面において、容器差し込み口を同心状に取り囲む状態に形成しておけばよい。
【００１８】
一方、本発明において、詰め替え用の袋を、その内側から積極的に押し広げた状態を形成するために、心棒の外周面における異なる高さ位置に、複数本の弾性部材を放射状に取り付けておくことが望ましい。各弾性部材として、上下方向に折り曲げ可能な弾性特性を備えたものを使用すればよい。
【００１９】
詰め替え用の袋の液体取り出し口を下にして、心棒を内部に差し込むと、その外周面から放射状に延びている弾性部材は下方に折り曲げられて液体取り出し口を通過して袋の内部に入り込む。袋の内部に入り込んだ弾性部材は、その弾性復帰力によって元の形状に戻ろうとして、袋を内側から外側に押し広げる。したがって、袋内に液体が残ることなく、短時間のうちに液体の詰め替えを行うことができる。
【００２０】
また、液体を詰め替えた後は、袋を心棒から上方に引き上げると、袋内部の弾性部材は上方に折り曲げられて液体取り出し口を通過して袋の外側に引き出される。その後は再び弾性復帰力によって元の形状に戻る。したがって、袋の着脱作業も簡単に行うことができる。
【図面の簡単な説明】
【００２１】
【図１】本発明を適用した実施の形態１の液体詰め替え用補助具を示す上面側斜視図および下面側斜視図である。
【図２】図１の液体詰め替え用補助具を示す側面図、平面図および底面図である。
【図３】図１の液体詰め替え用補助具の使用形態の二例を示す説明図である。
【図４】本発明を適用した実施の形態２の液体詰め替え用補助具を示す上面側斜視図である。
【発明を実施するための形態】
【００２２】
以下に、図面を参照して、本発明を適用した液体詰め替え用補助具の実施の形態を説明する。
【００２３】
［実施の形態１］
（全体構成）
図１（ａ）は実施の形態１に係る液体詰め替え用補助具を示す上面側斜視図であり、図１（ｂ）はその下面側斜視図である。また、図２（ａ）は液体詰め替え用補助具の側面図であり、図２（ｂ）はその平面図であり、図２（ｃ）はその底面図である。
【００２４】
これらの図を参照して説明すると、液体詰め替え用補助具１は、扁平な漏斗形状をした液体受け皿２を備えている。液体受け皿２の上面には、その中心に向かって下方に傾斜している凹状の液体受け面３が形成されている。液体受け面３の中心における最も低い位置には液体流下口４が開口している。
【００２５】
液体受け面３における液体流下口４の真上には、細長い円柱状の心棒５が上方に垂直に延びる状態に配置されている。液体受け面３には、図２（ｂ）から分かるように、心棒５を取り囲むように、等角度間隔で、４本の第１袋保持部材６および４本の第２袋保持部材７が交互に取り付けられている。液体受け皿２の円錐台形状の下面８の中心には、図１（ｂ）、図２（ｃ）に示すように、液体流下口４に連通する円筒状の容器差し込み口９が下方に垂直に延びている。また、下面８には、容器差し込み口９を同心状に取り囲むように、円錐台形状をした傘部１０が形成されている。
【００２６】
各部の構造を詳しく説明する。液体受け皿２は、扁平な漏斗形状をした皿本体部２ａと、この皿本体部２ａの円形外周縁から上方に垂直に起立している一定高さの縁板部分２ｂとを備えており、縁板部分２ｂには軽量化などの目的のために一定のピッチで楕円状の貫通穴が形成されている。なお、図１（ａ）においては一部の貫通穴の図示を省略してある。
【００２７】
皿本体部２ａの上面が液体受け面３となっており、この中心の液体流下口４は皿本体部２ａを上下方向に貫通する円形開口である。液体流下口４における下面８に露出している下側開口部を同心状に取り囲む状態に、容器差し込み口９が形成されている。円筒状の容器差し込み口９は下方に開口していると共に、その外周壁部分にも円周方向に等間隔で複数個、本例では４個の楕円状の貫通穴が形成されている。容器差し込み口９の下端縁９ａは、これを取り囲む円錐台形状の傘部１０の円形下縁１０ａよりも下方に所定量だけ突出している。
【００２８】
液体受け皿２の液体受け面３に配置した４つの第１袋保持部材６は同一形状の部材であり、液体受け皿２の中心軸線２Ａを中心として９０°の等角度間隔に配置されている。第１袋保持部材６のそれぞれは、本例では、全体として、ほぼ円形断面の棒を折り曲げ加工した形状をしており、皿取付部１１、傾斜部１２、垂直部１３および心棒連結部１４を備えている。
【００２９】
皿取付部１１は、液体受け皿２の縁板部分２ｂの内周面および液体受け面３に沿って、その中心側に向けて延びる状態で液体受け皿２に取り付けられている。傾斜部１２は、皿取付部１１における内側の端から上方に向かって心棒５に接近する傾斜方向に直線状に延びている。傾斜部１２の上端からは下方に向けて垂直に垂直部１３が延びている。垂直部１３の下端からは、心棒連結部１４が下方に向けて心棒５に接近する傾斜方向に直線状に延びている。
【００３０】
４つの第１袋保持部材６の心棒連結部１４の先端部は、液体受け面３の中心に開口している液体流下口４の真上の所定の高さ位置で合流しており、これら４本の心棒連結部１４の先端部が心棒５の下端部５ａに連結されている。心棒５は液体流下口４の真上の所定の高さ位置から上方に垂直に延びる状態に支持されている。
【００３１】
心棒５の下端部５ａは円筒形状をしており、その外周壁部分には上下方向に長い楕円状の貫通穴が形成されて、液体の流通が自由に行われるようになっている。また、この下端部５ａは、その内部に装着されたサポートリング１５によって補強されている。
【００３２】
第２袋保持部材７も、心棒５を中心として９０°の角度間隔に配置されている。また、第２袋保持部材７は、各第１袋保持部材６の中間に位置するように、配置されている。各第２袋保持部材７も所定断面の棒を折り曲げた形状をしており、液体受け皿２の側に取り付けた皿取付部１６と傾斜部１７を備えている。皿取付部１６は、第１袋保持部材６の皿取付部１１と同一の状態で液体受け皿２に取り付けられている。傾斜部１７は、皿取付部１６の内側の端から上方に向けて心棒５の側に傾斜する方向に直線状に延びている。傾斜部１７の長さは、第１袋保持部材６の傾斜部１２の半分以下の長さに設定されている。
【００３３】
この構成の液体詰め替え補助具１は、例えば樹脂成形品であり、３Ｄプリンタなどを用いて製作することができる。あるいは、各部材を個別に製作して接着、融着あるいは金具を用いて連結して組み立てることも可能である。また、各部の形状は一例を示すものであり、図示の形状に限定されるものではない。例えば、第１、第２袋保持部材６、７は、板状の部材から形成することも可能である。
【００３４】
（使用例）
図３（ａ）および（ｂ）は、液体詰め替え用補助具１の使用例を示す説明図である。図３（ａ）に示す使用例は、液体詰め替え用の袋２０を、その一方の角部を切り落として液体取り出し口２１とするタイプの袋である。この場合には、市販の据え置き型の硬質樹脂製の容器２５の口部２６に、液体詰め替え用補助具１の容器差し込み口９を上方から差し込むと共に、その外周を取り囲む傘部１０を口部２６の先端縁に載せる。これにより、液体詰め替え用補助具１が、容器２５の口部２６の上に取り付けられる。
【００３５】
次に、市販の液体詰め替え用の袋２０の角部に付けられている切り取り線に沿って角部を切り取って、液体取り出し口２１を開ける。液体詰め替え用の袋２０を、液体詰め替え用補助具１の液体受け皿２の上側の位置において、その液体取り出し口２１を下向きにして、心棒５の真上に位置決めし、心棒５が液体取り出し口２１から差し込まれるように、袋２０を心棒５に沿って下方に移動させる。
【００３６】
液体取り出し口２１が、心棒５の下端部５ａを支持している４本の第１袋保持部材６の心棒連結部１４に当たるまで、袋２０を降下させる。心棒連結部１４の上面は、このように、心棒５が差し込まれた状態の袋２０の液体取り出し口２１を支持する面として機能する。この位置まで袋２０を降下させると、その内部に心棒５が差し通された状態になる。また、袋２０における液体取り出し口２１に繋がっている両側の袋外周面部分は、図３（ａ）に示すように、両側から、４本の第１袋保持部材６の垂直部１３の間に挟まれ、これらによって保持される。このように、垂直部１３は外側から袋を保持する袋保持部分として機能する保持部材本体部である。
【００３７】
この状態で、袋２０内の液体は、自重により、液体取り出し口２１から、下側の液体流下口４を通って、容器差し込み口９に流れ落ち、ここを介して、下側の容器２５に流れる。このようにして、袋２０を手で保持することなく、液体の詰め替え作業を行うことができる。
【００３８】
次に、図３（ｂ）に示す使用例は、液体詰め替え用の袋３０の一辺を全体として切り取って液体取り出し口３１とする場合の例である。この場合にも、まず、液体詰め替え用補助具１を、詰め替え対象の容器３５の口部３６に装着する。次に、液体取り出し口３１を開けた袋３０を、液体受け皿２の真上において逆にして、上側から４つの第１袋保持部材６が液体取り出し口３１に差し込まれるように、袋３０を下方に移動させる。これにより、心棒５が袋３０の中心部分を上から上に延びる状態に差し込まれ、液体取り出し口３１が４つの第１袋保持部材６によって内側から外方に押し広げられた状態で、袋３０が装着される。この状態で、液体の詰め替えが行われる。袋３０の液体取り出し口３１が大きい場合には、液体取り出し口３１は図に示す場合よりもさらに下側まで移動した位置になる。この場合には、液体取り出し口３１は、内側から第１袋保持部材６によって押し広げられ、外側からは第２袋保持部材７によって保持される。
【００３９】
［実施の形態２］
図４は本発明の実施の形態２に係る液体詰め替え用補助具を示す上面側斜視図である。本例の液体詰め替え用補助具４０は、扁平な漏斗形状をした液体受け皿４２を備えている。液体受け皿４２の上面には、中心に向かって下方に傾斜している凹状の液体受け面４３が形成されている。液体受け面４３の中心における最も低い位置には液体流下口４４が開口している。
【００４０】
液体受け皿４２の円錐台形状の下面の中心には、実施の形態１の場合と同様に（図１（ｂ）、図２（ｃ）参照）、液体流下口４４に連通する円筒状の容器差し込み口４９が下方に垂直に延びている。また、下面には、容器差し込み口４９を同心状に取り囲むように、円錐台形状をした傘部（図示せず）が形成されている。このように、本例の液体受け皿４２の構造は実施の形態１の場合と同様であるので、詳細な説明は省略する。
【００４１】
本例では、液体受け面４３における液体流下口４４の真上には、細長い円柱状の心棒４５が上方に垂直に延びる状態に配置されている。心棒４５の下端部４５ａは、下方に向けて外方に広がる複数本の傾斜支持脚から構成されており、傾斜支持脚は、液体流下口４４を同心状に取り囲むように、液体受け面４３に取り付けられている。傾斜支持脚の間の隙間を通って、液体受け面４３に沿って流れる液体が液体流下口４４に流れ落ちる。
【００４２】
ここで、心棒４５の外周面には、異なる高さ位置に、放射状に延びる複数本の棒状の弾性部材４６が取り付けられている。本例では、心棒４５の外周面に沿って螺旋状に弾性部材４６が一定のピッチで取り付けられている。各弾性部材４６は上下方向に折り曲げ可能な弾性特性を備えている。具体的には、市販の液体詰め替え用の袋２０、３０の液体取り出し口２１、３１から心棒４５を差し込むと、弾性部材４６は折れ曲がり、袋２０、３０の内部に挿入することが可能である。また、袋２０、３０の内部に挿入された各弾性部材４６は、弾性復帰力によって元も直線形状に戻ろうとして、袋２０、３０を内側から外方に押し広げ可能となっている。
【００４３】
この構成の液体詰め替え用補助具４０を用いて液体詰め替え用の袋２０、３０から容器２５、３５に液体を詰め替える作業においては、心棒４５によって袋２０、３０は下向き姿勢に保持される。また、袋２０、３０の内部に挿入された複数の弾性部材４６が内側から袋２０、３０を外側に押し広げた状態が形成される。よって、袋２０、３０から速やかに液体が流れ落ちて容器２５、３５に充填される。
【００４４】
なお、弾性部材４６としては例えばゴム製の棒材を用いることができる。これ以外の素材からなる弾性部材を用いることも可能である。
【００４５】
［その他の実施の形態］
実施の形態１の液体詰め替え用補助具１において、心棒５の代わりに、実施の形態２における弾性部材４６が取り付けられている心棒４５を用いることも可能である。このようにすれば、袋２０、３０を、内外の両側から確実に保持でき、また、袋２０、３０を押し広げた状態を確実に形成し維持できる。
【符号の説明】
【００４６】
１    液体詰め替え用補助具
２    液体受け皿
２ａ  皿本体部
２ｂ  縁板部分
２Ａ  中心軸線
３    液体受け面
４    液体流下口
５    心棒
５ａ  下端部
６    第１袋保持部材
７    第２袋保持部材
８    下面
９    容器差し込み口
９ａ  下端縁
１０  傘部
１０ａ  円形下縁
１１  皿取付部
１２  傾斜部
１３  垂直部（袋保持部材本体）
１４  心棒連結部
１５  サポートリング
１６  皿取付部
１７  傾斜部
２０  袋
２１  液体取り出し口
２５  容器
２６  口部
３０  袋
３１  液体取り出し口
３５  容器
３６  口部
４０  液体詰め替え用補助具
４２  液体受け皿
４３  液体受け面
４４  液体流下口
４５  心棒
４６  弾性部材
【図１】
2018016341.tif 000003
【図２】
2018016341.tif 000004
【図３】
2018016341.tif 000005
【図４】
2018016341.tif 000006